【手続補正書】
【提出日】平成20年1月18日(2008.1.18)
【手続補正１】
【補正対象書類名】特許請求の範囲
【補正対象項目名】全文
【補正方法】変更
【補正の内容】
【特許請求の範囲】
【請求項１】
透過特性に周期的な波長ピークを有し、与えられる電気信号により前記波長ピークが変化する第１のエタロンを備えた外部共振型レーザと、
透過特性に周期的な波長ピークを有し、前記外部共振型レーザから出力される光を透過する第２のエタロンと、
前記第１のエタロンの温度を制御する温度制御装置と、
前記温度制御装置から離間させて設けられ、前記第１のエタロンの温度または前記第１のエタロンの温度と実質的に同等の温度を検知する温度検知部とを備えることを特徴とするレーザモジュール。
【請求項２】
透過特性に周期的な波長ピークを有し、与えられる電気信号により前記波長ピークが変化する第１のエタロンを備えた外部共振型レーザと、
透過特性に周期的な波長ピークを有し、前記外部共振型レーザから出力される光を透過する第２のエタロンと、
前記第１のエタロンの温度および前記第２のエタロンの温度を制御する温度制御装置と、
前記温度制御装置から離間させて設けられ、前記第１のエタロンの温度または前記第１のエタロンの温度と実質的に同等の温度を検知する第１の温度検知部と、
前記第２のエタロンの温度を検知する第２の温度検知部と、
前記外部共振型レーザの出力光の強度を検知する光強度検知手段とを備えることを特徴とするレーザモジュール。
【請求項３】
透過特性に周期的な波長ピークを有し、与えられる電気信号により前記波長ピークが変化する第１のエタロンを備えた外部共振型レーザと、
透過特性に周期的な波長ピークを有し、前記外部共振型レーザから出力される光を透過する第２のエタロンと、
前記第１のエタロンの温度を制御する第１の温度制御装置と、
前記第２のエタロンの温度を制御する第２の温度制御装置と、
前記第１の温度制御装置から離間させて設けられ、前記第１のエタロンの温度または前記第１のエタロンの温度と実質的に同等の温度を検知する第１の温度検知部と、
前記第２のエタロンの温度を検知する第２の温度検知部とを備えることを特徴とするレーザモジュール。
【請求項４】
前記温度制御装置は、さらに第２のエタロンの温度を制御することを特徴とする請求項１記載のレーザモジュール。
【請求項５】
前記第１のエタロンおよび前記第２のエタロンは、前記温度制御装置上に搭載されていることを特徴とする請求項１または２記載のレーザモジュール。
【請求項６】
前記第１のエタロンは、液晶を含み、
前記液晶は、電気信号が与えられることにより屈折率が変化することを特徴とする請求項１〜３のいずれかに記載のレーザモジュール。
【請求項７】
前記第２の温度検知部は、前記第２のエタロンを搭載する温度制御装置上に搭載されることを特徴とする請求項２または３記載のレーザモジュール。
【請求項８】
透過特性に周期的な波長ピークを有し、与えられる電気信号により前記波長ピークが変化する第１のエタロンを備えた外部共振型レーザと、透過特性に周期的な波長ピークを有し、前記外部共振型レーザから出力される光を透過する第２のエタロンと、前記第１のエタロンの温度および前記第２のエタロンの温度を制御する温度制御装置と、前記温度制御装置から離間させて設けられ、前記第１のエタロンの温度または前記第１のエタロンの温度と実質的に同等の温度を検知する第１の温度検知部と、前記第２のエタロンの温度を検知する第２の温度検知部とを備え、前記第１のエタロンの温度変化と前記第１のエタロンの周期的な波長ピークの変動量との相対関係が既知であるレーザモジュールの制御方法であって、
前記第１の温度検知部が検知する温度が所定の外気温において前記外部共振型レーザが所望の波長光を出力している場合における前記第１のエタロンの温度になるように、前記温度制御装置の制御がなされる第１のステップと、
所定の外気温における前記外部共振型レーザが所望の波長光を出力している状態において前記第１のエタロンに与えられる電気信号が前記第１のエタロンに与えられる第２のステップと、
前記外部共振型レーザの出力光のピーク波長が所望の波長になるように前記第１のエタロンに与える電気信号が制御される第３のステップと、
前記第２の温度検知部が検知する温度が所定の外気温において前記外部共振型レーザが所望の波長光を出力している場合における前記第２のエタロンの温度になるように前記温度制御装置の制御がなされる第４のステップと、
前記第４のステップにおいて生じる前記第１のエタロンの周期的な波長ピークの変化を相殺するように、前記第１のエタロンの温度変化量と前記第１のエタロンに与えられる電気信号値との相対関係に基づいて、前記第１のエタロンに与える電気信号の制御がなされる第５のステップとを含むことを特徴とするレーザモジュールの制御方法。
【請求項９】
前記第１のエタロンおよび前記第２のエタロンは、前記温度制御装置上に搭載されていることを特徴とする請求項８記載のレーザモジュールの制御方法。
【請求項１０】
前記第１のエタロンは、液晶を含み、
前記液晶は、電気信号が与えられることによって屈折率が変化することを特徴とする請求項８記載のレーザモジュールの制御方法。
【請求項１１】
前記第１および第２のステップは、前記所定の外気温とは異なる外気温においてなされることを特徴とする請求項８記載のレーザモジュールの制御方法。
【請求項１２】
前記第３〜第５のステップは、前記所定の外気温とは異なる外気温においてなされることを特徴とする請求項８記載のレーザモジュールの制御方法。
【手続補正２】
【補正対象書類名】明細書
【補正対象項目名】００１３
【補正方法】削除
【補正の内容】
【手続補正３】
【補正対象書類名】明細書
【補正対象項目名】００１４
【補正方法】削除
【補正の内容】
【手続補正４】
【補正対象書類名】明細書
【補正対象項目名】００１８
【補正方法】変更
【補正の内容】
【００１８】
また、第１のエタロンは液晶を含み、液晶は電気信号が与えられることにより屈折率が変化してもよい。この場合、第１のエタロンの透過波長ピークを電気信号により制御することができる。また、第２の温度検知部は、第２のエタロンを搭載する温度制御装置上に搭載されていてもよい。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】削除
【補正の内容】
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】削除
【補正の内容】
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３６
【補正方法】削除
【補正の内容】
【手続補正２０】
【補正対象書類名】明細書
【補正対象項目名】００３７
【補正方法】削除
【補正の内容】
【手続補正２１】
【補正対象書類名】明細書
【補正対象項目名】００３８
【補正方法】削除
【補正の内容】
【手続補正２２】
【補正対象書類名】明細書
【補正対象項目名】００３９
【補正方法】削除
【補正の内容】
【手続補正２３】
【補正対象書類名】明細書
【補正対象項目名】００４０
【補正方法】削除
【補正の内容】
【手続補正２４】
【補正対象書類名】明細書
【補正対象項目名】００４１
【補正方法】削除
【補正の内容】
【手続補正２５】
【補正対象書類名】明細書
【補正対象項目名】００４２
【補正方法】削除
【補正の内容】